(57)【特許請求の範囲】
【請求項１】
被検眼に対して光を照射してその戻り光を受光するＳＬＯ光学系と、前記被検眼に対して光コヒーレンストモグラフィを実行して干渉光を受光するＯＣＴ光学系と、前記ＳＬＯ光学系の光路と前記ＯＣＴ光学系の光路とを結合する光路結合部材とを有する光学系を含む撮影部と、
画角を変更するための画角変更部と、
前記画角変更部により第１画角が設定されているときに前記撮影部により取得された前記被検眼の第１範囲を表す第１画像と、前記画角変更部により前記第１画角より狭い第２画角が設定されているときに前記撮影部により取得され前記光学系の光軸上の位置を含み且つ前記第１範囲より狭い第２範囲を表す第２画像とを合成して合成画像を形成する画像合成部と、
を含み、
前記第１画像は、前記ＳＬＯ光学系を用いて取得されたＳＬＯ画像、及び前記ＯＣＴ光学系を用いて取得されたＯＣＴ画像の一方であり、
前記第２画像は、前記ＳＬＯ画像、及び前記ＯＣＴ画像の他方である、眼科撮影装置。
【請求項２】
前記光学系は、２以上の対物レンズを含み、
前記画角変更部は、前記光路に前記２以上の対物レンズを選択的に配置させる
ことを特徴とする請求項１に記載の眼科撮影装置。
【請求項３】
前記光学系は、ズーム光学系を含み、
前記ズーム光学系は、少なくとも１つが前記光軸に沿って移動可能な２以上のレンズを含む対物レンズ系、又は前記光軸に対して挿脱可能な１以上の光学素子を含む
ことを特徴とする請求項１に記載の眼科撮影装置。
【請求項４】
前記画像合成部は、前記光軸上の位置を含む前記第１画像の部分領域を当該部分領域に対応する前記第２画像の少なくとも一部の領域で置換する
ことを特徴とする請求項１〜請求項３のいずれか一項に記載の眼科撮影装置。
【請求項５】
前記画像合成部は、前記光軸上の位置を含む前記第１画像の部分領域に当該部分領域に対応する前記第２画像の少なくとも一部の領域を重畳する
ことを特徴とする請求項１〜請求項３のいずれか一項に記載の眼科撮影装置。
【請求項６】
前記画像合成部は、
前記第１画像と前記第２画像との位置合わせを行う位置合わせ部と、
前記第１画角と前記第２画角とに基づいて前記第１画像のスケールと前記第２画像のスケールとを一致させるスケール調整部と、
を含むことを特徴とする請求項１〜請求項５のいずれか一項に記載の眼科撮影装置。
【請求項７】
前記合成画像を表示手段に表示させる表示制御部を含む
ことを特徴とする請求項１〜請求項６のいずれか一項に記載の眼科撮影装置。
【請求項８】
前記撮影部は、前記第１画像を取得した後に前記第２画像を繰り返し取得し、
前記表示制御部は、新たな第２画像が取得されたときに前記合成画像中の前記第２画像を前記新たな第２画像に基づき更新する
ことを特徴とする請求項７に記載の眼科撮影装置。
【発明の詳細な説明】
【技術分野】
【０００１】
この発明は、眼科撮影装置に関する。
【背景技術】
【０００２】
眼疾患のスクリーニングなどを行うための眼科撮影装置には、簡便に広い視野で被検眼の眼底などの撮影が可能なものが求められている。このような眼科撮影装置として、走査型レーザー検眼鏡（Ｓｃａｎｎｉｎｇ  Ｌａｓｅｒ  Ｏｐｈｔｈａｌｍｏｓｃｏｐｅ：以下、ＳＬＯ）が知られている。ＳＬＯは、光で眼底をスキャンし、その戻り光を受光デバイスで検出することにより眼底の画像を形成する装置である。
【０００３】
例えば特許文献１には、３つの光スキャナを備え、これらを制御することにより広い領域でのスキャンと、このスキャン領域の一部を拡大するスキャンとを実行可能なＳＬＯが開示されている。
【先行技術文献】
【特許文献】
【０００４】
【特許文献１】特開２０１５−２２９０２３号公報
【発明の概要】
【発明が解決しようとする課題】
【０００５】
しかしながら、ＳＬＯ等の眼科撮影装置により取得された画像の中心部に、対物レンズや被検眼の角膜の表面反射に起因したゴースト（ノイズ）が描出されることが知られている。ゴーストのサイズ及び光量は、画角が広くなるほど大きくなる。取得された画像の中心部には注目部位が配置される場合が多く、中心部にゴーストが描出されると診断に支障をきたす場合がある。
【０００６】
この発明は、このような事情に鑑みてなされたものであり、その目的は、画角が広い画像であってもゴーストの描出を抑制することが可能な眼科撮影装置を提供することにある。
【課題を解決するための手段】
【０００７】
実施形態に係る眼科撮影装置は、撮影部と、画角変更部と、画像合成部とを含む。撮影部は、被検眼に対して光を照射してその戻り光を受光するＳＬＯ光学系と、被検眼に対して光コヒーレンストモグラフィを実行して干渉光を受光するＯＣＴ光学系と、ＳＬＯ光学系の光路とＯＣＴ光学系の光路とを結合する光路結合部材とを有する光学系を含む。画角変更部は、画角を変更するために用いられる。画像合成部は、画角変更部により第１画角が設定されているときに撮影部により取得された被検眼の第１範囲を表す第１画像と、画角変更部により第１画角より狭い第２画角が設定されているときに撮影部により取得され光学系の光軸上の位置を含み且つ第１範囲より狭い第２範囲を表す第２画像とを合成して合成画像を形成する。第１画像は、ＳＬＯ光学系を用いて取得されたＳＬＯ画像、及びＯＣＴ光学系を用いて取得されたＯＣＴ画像の一方であり、第２画像は、ＳＬＯ画像、及びＯＣＴ画像の他方である。
【発明の効果】
【０００８】
この発明によれば、画角が広い画像であってもゴーストの描出を抑制することが可能な眼科撮影装置を提供することができる。
【図面の簡単な説明】
【０００９】
【図１】実施形態に係る眼科撮影装置の光学系の構成の一例を示す概略図である。
【図２】実施形態に係る眼科撮影装置の光学系の構成の一例を示す概略図である。
【図３】実施形態に係る眼科撮影装置の光学系の構成の一例を示す概略図である。
【図４】実施形態に係る眼科撮影装置の処理系の構成の一例を示す概略図である。
【図５】実施形態に係る眼科撮影装置の第１動作例のフロー図である。
【図６Ａ】実施形態に係る眼科撮影装置の動作説明図である。
【図６Ｂ】実施形態に係る眼科撮影装置の動作説明図である。
【図６Ｃ】実施形態に係る眼科撮影装置の動作説明図である。
【図６Ｄ】実施形態に係る眼科撮影装置の動作説明図である。
【図６Ｅ】実施形態に係る眼科撮影装置の動作説明図である。
【図７】実施形態に係る眼科撮影装置の第２動作例のフロー図である。
【図８】実施形態に係る眼科撮影装置の第３動作例のフロー図である。
【発明を実施するための形態】
【００１０】
この発明に係る眼科撮影装置の実施形態の例について、図面を参照しながら詳細に説明する。なお、この明細書において引用された文献の記載内容や任意の公知技術を、以下の実施形態に援用することが可能である。
【００１１】
実施形態に係る眼科撮影装置は、光スキャナを用いて光源からの光を偏向し、偏向された光を被検眼（対象眼、患者眼）に照射することにより、被検眼の瞳孔を通して光を被検眼の後眼部（眼底、硝子体等）の広い範囲に照射することが可能な装置である。このような構成は、後眼部に光を照射することが可能な任意の眼科撮影装置に適用することができる。後眼部に光を照射することが可能な眼科撮影装置には、レーザー光を眼底における治療部位に照射するためのレーザー治療装置や、被検眼に固視させた状態で視標を移動させながら被検者（患者）の応答に基づき視野を測定するための視野計などがある。
【００１２】
また、実施形態に係る眼科撮影装置は、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科撮影装置に適用することができる。後眼部を光で走査してデータを取得可能な眼科撮影装置には、共焦点光学系を用いたレーザー走査により眼底の正面画像を得るＳＬＯや、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて眼底の断層像を得る光干渉断層計や、ＳＬＯの機能と光干渉断層計の機能とを組み合わせた複合機などがある。以下、実施形態に係る眼科撮影装置が、ＳＬＯの機能と光干渉断層計の機能とを有する場合について説明する。
【００１３】
以下では、被検者から見て左右方向をＸ方向とし、上下方向をＹ方向とし、被検者から見て光学系の奥行き方向をＺ方向として説明する。
【００１４】
［光学系］
図１〜図３に、実施形態に係る眼科撮影装置の光学系の構成例を示す。実施形態に係る眼科撮影装置は、撮影モードに対応した範囲の被検眼の画像を取得することが可能である。眼科撮影装置は、撮影モードに対応した対物レンズユニットを光学系の光軸に選択的に配置することが可能である。
【００１５】
図１は、広角（広画角）撮影モードに設定されているときの眼科撮影装置の光学系の構成例を表す。図２は、撮影モードに応じて切り替え可能な実施形態に係る対物レンズ系の構成例を表す。図２において、図１と同様の部分には同一符号を付し、適宜説明を省略する。図３は、高倍率（狭角（狭画角））撮影モードに設定されているときの眼科撮影装置の光学系の構成例を表す。図３において、図１又は図２と同様の部分には同一符号を付し、適宜説明を省略する。図１及び図３では、被検眼Ｅの眼底Ｅｆと光学的に共役な位置が眼底共役位置Ｐとして図示され、被検眼Ｅの瞳と光学的に共役な位置が瞳共役位置Ｑとして図示されている。
【００１６】
光学系１００は、対物レンズ系１１０を介して被検眼に光を投射する投射系と、投射系により被検眼Ｅに投射された光の戻り光を対物レンズ系１１０を介して受光する受光系とを含む。眼科撮影装置は、受光系による受光結果に基づいて画像を形成する。実施形態に係る眼科撮影装置は、ＳＬＯ画像及びＯＣＴ画像を形成することが可能である。すなわち、光学系１００は、ＳＬＯ光学系１３０と、ＯＣＴ光学系１４０とを含む。ＳＬＯ光学系１３０は、ＳＬＯ投射系と、ＳＬＯ受光系とを含む。ＯＣＴ光学系１４０は、ＯＣＴ投射系と、ＯＣＴ受光系とを含む。
【００１７】
眼科撮影装置には、被検眼の前眼部を撮影するための前眼部撮影系（前眼部観察系）１２０が設けられている。光学系１００は、対物レンズ系１１０や前眼部撮影系１２０と共に、図示しない移動機構（後述の移動機構１００Ｄ）によりＸ方向、Ｙ方向及びＺ方向に移動可能である。眼科撮影装置は、前眼部撮影系１２０により得られた被検眼Ｅの前眼部画像に基づいて移動機構により光学系１００等を移動することにより、被検眼Ｅに対して光学系１００の位置合わせを行うためのアライメントを行うことが可能である。以下では、光学系１００が対物レンズ系１１０や前眼部撮影系１２０を含む場合について説明するが、光学系１００がこれらを含まない構成であってもよい。
【００１８】
（対物レンズ系）
眼科撮影装置は、撮影モードに応じた対物レンズユニットを光学系１００の光軸Ｏに配置することが可能である。この実施形態では、撮影モードには、第１範囲（例えば画角が１０５度）で被検眼Ｅを撮影する広角撮影モードと、第１範囲より狭い第２範囲（例えば画角が５０度）で被検眼Ｅを撮影する高倍率撮影モードとがある。広角撮影モードでは、被検眼Ｅの第１範囲を表す広角の画像（ＳＬＯ画像又はＯＣＴ画像）が取得される。高倍率撮影モードでは、被検眼Ｅの第１範囲より狭い第２範囲を表す高倍率（狭角）の画像（ＳＬＯ画像又はＯＣＴ画像）が取得される。以下、広角撮影モードで取得された画像を「広角画像」と表記し、高倍率撮影モードで取得された画像を「狭角画像」（「標準画像」）と表記する場合がある。
【００１９】
対物レンズ系１１０は、対物レンズユニット１１０Ａ、１１０Ｂを含む（図２参照）。対物レンズ系１１０には、画角を変更するための画角変更機構１１５が設けられている。対物レンズユニット１１０Ａ、１１０Ｂは、画角変更機構１１５により光学系１００の光軸Ｏに対して挿脱可能である。画角変更機構１１５は、例えば公知の回転機構又はスライド機構を含む。画角変更機構１１５により対物レンズユニット１１０Ａ、１１０Ｂを手動で光軸Ｏに選択的に配置させることが可能である。広角撮影モードでは、光学系１００の光軸に対物レンズユニット１１０Ａの光軸が一致するように配置される（図１）。高倍率撮影モードでは、光軸Ｏに対物レンズユニット１１０Ｂの光軸が一致するように配置される（図３）。例えば、対物レンズ系１１０に、光軸Ｏに配置された対物レンズユニットの種別を検出する検出部を設けることにより、後述の制御部２００は、光軸Ｏに配置された対物レンズユニットの種別の検出結果から撮影モードの種別を特定することが可能である。なお、画角変更機構１１５は、後述の制御部２００からの制御を受け、対物レンズユニット１１０Ａ、１１０Ｂを自動で光軸Ｏに選択的に配置させてもよい。
【００２０】
対物レンズユニット１１０Ａは、２以上のレンズを含む。２以上のレンズの間には、ダイクロイックミラーＤＭ１Ａが設けられる。例えば、対物レンズユニット１１０Ａは、凸レンズ１１１Ａ、１１２Ａと、凹レンズ１１３Ａとを含むレンズユニット（ナグラータイプ）であってよい。被検眼Ｅの側から凸レンズ１１１Ａ、１１２Ａ、及び凹レンズ１１３Ａの順序で配置されている。凸レンズ１１２Ａと凹レンズ１１３Ａとの間にダイクロイックミラーＤＭ１Ａが配置されている。ダイクロイックミラーＤＭ１Ａは、広角撮影モードにおいて、ＳＬＯ光学系１３０の光路及びＯＣＴ光学系１４０の光路の双方に前眼部撮影系１２０の光路を結合する光路結合部材である。ダイクロイックミラーＤＭ１Ａと凹レンズ１１３Ａとの間に眼底（網膜）と光学的に共役な位置（眼底共役位置）Ｐ又はその近傍が配置されている。対物レンズユニット１１０Ａは、ダイクロイックミラーＤＭ１Ａを含んでもよい。
【００２１】
ダイクロイックミラーＤＭ１Ａは、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。ダイクロイックミラーＤＭ１Ａは、前眼部撮影系１２０からの光を被検眼Ｅに向けて反射し、その被検眼Ｅからの戻り光を前眼部撮影系１２０に向けて反射する。
【００２２】
対物レンズユニット１１０Ｂは、少なくとも１つのレンズを含む。当該少なくとも１つのレンズに対して光源（ＳＬＯ光源及びＯＣＴ光源）側にダイクロイックミラーＤＭ１Ｂが設けられる。例えば、対物レンズユニット１１０Ｂは、凸レンズ１１１Ｂを含んでよい。ダイクロイックミラーＤＭ１Ｂは、高倍率撮影モードにおいて、ＳＬＯ光学系１３０の光路及びＯＣＴ光学系１４０の光路の双方に前眼部撮影系１２０の光路を結合する光路結合部材である。対物レンズユニット１１０Ｂは、ダイクロイックミラーＤＭ１Ｂを含んでもよい。
【００２３】
ダイクロイックミラーＤＭ１Ｂは、ダイクロイックミラーＤＭ１Ａと同様に、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。また、ダイクロイックミラーＤＭ１Ｂは、前眼部撮影系１２０からの光を被検眼Ｅに向けて反射し、その被検眼Ｅからの戻り光を前眼部撮影系１２０に向けて反射する。光軸Ｏに対物レンズユニット１１０Ｂが配置されているときの光軸Ｏ上におけるダイクロイックミラーＤＭ１Ｂの位置は、光軸Ｏに対物レンズユニット１１０Ａが配置されているときの光軸Ｏ上におけるダイクロイックミラーＤＭ１Ａの位置と略同じであってよい。それにより、撮影モードを変更したとき、前眼部撮影系１２０の位置や向きの調整が不要になる。
【００２４】
対物レンズユニット１１０Ａが凸レンズ１１１Ａ、１１２Ａと凹レンズ１１３Ａだけを含み、対物レンズユニット１１０Ｂが凸レンズ１１１Ｂだけを含んでもよい。それにより、光軸Ｏに配置される対物レンズユニットを切り替えたときにダイクロイックミラーＤＭ１Ａ、ＤＭ１Ｂを１つのダイクロイックミラーで共用することが可能である。
【００２５】
対物レンズ系１１０は、図示しない移動機構（後述の移動機構１１０Ｄ）により光軸Ｏに沿って移動可能である。それにより、光学系１００に対して対物レンズ系１１０をＺ方向に移動することが可能になり、ＳＬＯ光学系１３０及びＯＣＴ光学系１４０の双方の焦点位置を変更することができる。
【００２６】
以下、主として、光軸Ｏに対物レンズユニット１１０Ａが配置されている場合について説明する。
【００２７】
（前眼部撮影系）
前眼部撮影系１２０は、前眼部照明光源１２１と、コリメートレンズ１２２と、前眼部撮影カメラ１２３と、結像レンズ１２４と、ビームスプリッタＢＳ１とを含む。ビームスプリッタＢＳ１は、被検眼Ｅの前眼部を照明するための照明光の光路に、その戻り光の光路を結合する光路結合部材である。
【００２８】
前眼部照明光源１２１は、被検眼Ｅの前眼部を照明するための光源である。前眼部撮影カメラ１２３は、前眼部照明光源１２１により照明された被検眼Ｅの前眼部からの反射光（戻り光）を検出するための撮像素子を備えている。前眼部照明光源１２１には、例えば、中心波長が９５０ｎｍの光を発するＬＥＤが用いられる。前眼部照明光源１２１により発せられた光は、コリメートレンズ１２２により平行光束とされる。平行光束とされた照明光は、ビームスプリッタＢＳ１によりダイクロイックミラーＤＭ１Ａに向けて反射される。ビームスプリッタＢＳ１により反射された照明光は、ダイクロイックミラーＤＭ１Ａにより被検眼Ｅに向けて偏向される。被検眼Ｅからの照明光の戻り光は、ダイクロイックミラーＤＭ１Ａにより反射され、ビームスプリッタＢＳ１を透過する。ビームスプリッタＢＳ１を透過した戻り光は、結像レンズ１２４により前眼部撮影カメラ１２３における撮像素子の検出面に集光される。撮像素子の検出面は、瞳共役位置（前眼部共役位置）Ｑ又はその近傍に配置されている。撮像素子は、例えば、ＣＣＤ又はＣＭＯＳイメージセンサにより構成されている。撮像素子による被検眼Ｅの前眼部からの戻り光の検出結果は、前眼部の画像の形成に用いられる。
【００２９】
（ＳＬＯ光学系）
ＳＬＯ光学系１３０の光路とＯＣＴ光学系１４０の光路とは、ダイクロイックミラーＤＭ２により結合される。ＳＬＯ光学系１３０の少なくとも一部がテレセントリック光学系として形成されている。同様に、ＯＣＴ光学系１４０の少なくとも一部がテレセントリック光学系として形成されている。ダイクロイックミラーＤＭ２は、ＳＬＯ光学系１３０のテレセントリック光学系により形成される光路とＯＣＴ光学系１４０のテレセントリック光学系により形成される光路とを結合する。それにより、対物レンズ系１１０の移動により光学系１００の焦点位置を変更した場合でも瞳（例えば対物レンズ系１１０による射出瞳）の収差が小さくなるため、合焦状態の調整が容易になる。
【００３０】
ダイクロイックミラーＤＭ１Ａ（ＤＭ１Ｂ）、ＤＭ２は、ねじれの関係を保持した状態で光軸Ｏに配置されていることが望ましい。ダイクロイックミラーＤＭ１Ａ（ＤＭ１Ｂ）は、ＳＬＯ光学系１３０の光路及びＯＣＴ光学系１４０の光路（光学系１００の光路）を導かれる光の少なくとも一部及び前眼部撮影系１２０の光路を導かれる光の少なくとも一部のうち一方の光を反射し、かつ、他方の光を透過させる第１光学面を備えている。ダイクロイックミラーＤＭ２は、ＳＬＯ光学系１３０の光路を導かれる光の少なくとも一部及びＯＣＴ光学系１４０の光路を導かれる光の少なくとも一部のうち一方の光を反射し、かつ、他方の光を透過させる第２光学面を備えている。ダイクロイックミラーＤＭ１Ａ（ＤＭ１Ｂ）、ＤＭ２は、第１光学面の法線とＳＬＯ光学系１３０の光軸とを含む平面と、第２光学面の法線とＳＬＯ光学系１３０の光軸とを含む平面とが互いに直交する、又は略直交するように配置されている。それにより、図３に示す高倍率撮影モードでは、ダイクロイックミラーＤＭ１ＢとダイクロイックミラーＤＭ２との間に凹レンズ１１３Ａが配置されないため、ダイクロイックミラーＤＭ１ＢとダイクロイックミラーＤＭ２とにより非点収差を除去、又は非点収差を極めて小さくすることができるので、画質の劣化を抑えることが可能になる。一方、図１に示す広角撮影モードでは、高倍率撮影モード時よりも画像の粗さが許容されるため、非点収差の残存に起因する画質への影響は小さくて済む。
【００３１】
ＳＬＯ光学系１３０は、ＳＬＯ光源１３１と、コリメートレンズ１３２と、ビームスプリッタＢＳ２と、集光レンズ１３３と、共焦点絞り１３４と、検出器１３５と、光スキャナ１３６と、レンズ１３７とを含む。ビームスプリッタＢＳ２は、被検眼Ｅに投射されるＳＬＯ光の光路に、その戻り光の光路を結合する光路結合部材である。
【００３２】
ＳＬＯ光源１３１は、例えば中心波長が８４０ｎｍの光を発するものが用いられる。ＳＬＯ光源１３１として、例えばレーザーダイオード（Ｌａｓｅｒ  Ｄｉｏｄｅ：以下、ＬＤ）、スーパールミネッセントダイオード（Ｓｕｐｅｒ  Ｌｕｍｉｎｅｓｃｅｎｔ  Ｄｉｏｄｅ：ＳＬＤ）、レーザードリブンライトソース（Ｌａｓｅｒ  Ｄｒｉｖｅｎ  Ｌｉｇｈｔ  Ｓｏｕｒｃｅ：ＬＤＬＳ）などが挙げられる。ＳＬＯ光源１３１は、眼底（網膜）と光学的に共役な位置（眼底共役位置）Ｐ又はその近傍に配置されている。
【００３３】
ＳＬＯ光源１３１から発せられた光は、コリメートレンズ１３２により平行光束とされる。平行光束とされた光は、ビームスプリッタＢＳ２を透過する。ビームスプリッタＢＳ２を透過した光は、光スキャナ１３６により偏向される。光スキャナ１３６は、ＳＬＯ光源１３１からの光で被検眼Ｅの眼底Ｅｆを走査するために用いられる。光スキャナ１３６は、Ｘ方向に光を偏向させる光スキャナ１３６Ｘと、Ｙ方向に光を偏向させる光スキャナ１３６Ｙとを含む。光スキャナ１３６Ｘは、その傾きが変更可能なミラーであり、後述の制御部２００により反射面の傾きが制御される。光スキャナ１３６は、例えば、眼底面内の水平方向の走査に用いられる。光スキャナ１３６Ｘの被検眼Ｅの側には、光スキャナ１３６Ｙが配置されている。光スキャナ１３６Ｙは、その傾きが変更可能なミラーであり、制御部２００により反射面の傾きが制御される。光スキャナ１３６Ｙは、例えば、水平方向に直交する眼底面内の垂直方向の走査に用いられる。光スキャナ１３６Ｘ及び光スキャナ１３６Ｙのいずれか一方は、ガルバノミラーなどの低速スキャナであり、他方は、レゾナントミラーやポリゴンミラー、或いはＭＥＭＳ（Ｍｉｃｒｏ  Ｅｌｅｃｔｒｏ  Ｍｅｃｈａｎｉｃａｌ  Ｓｙｓｔｅｍｓ：以下、ＭＥＭＳ）ミラーなどの高速スキャナであってよい。光スキャナ１３６Ｙの反射面は、被検眼Ｅの瞳と光学的に共役な位置（瞳共役位置）Ｑ又はその近傍に配置されている。光スキャナ１３６Ｙの被検眼Ｅの側には、レンズ１３７と、ダイクロイックミラーＤＭ２とが配置されている。光スキャナ１３６により偏向されたＳＬＯ光源１３１からの光は、レンズ１３７及びダイクロイックミラーＤＭ２を透過し、対物レンズ系１１０を介して被検眼Ｅに投射される。
【００３４】
被検眼Ｅに投射されたＳＬＯ光源１３１からの光の戻り光は、同じ光路を経由してビームスプリッタＢＳ２により検出器１３５に向けて反射される。ビームスプリッタＢＳ２と検出器１３５との間には、集光レンズ１３３と共焦点絞り１３４とが配置されている。集光レンズ１３３は、ビームスプリッタＢＳ２により反射された光を集光する。集光レンズ１３３により集光された光は、共焦点絞り１３４に形成された開口を通過し、検出器１３５の検出面に入射する。共焦点絞り１３４に形成された開口は、眼底（網膜）と光学的に共役な位置（眼底共役位置）Ｐ又はその近傍に配置されている。検出器１３５は、例えば、アバランシェフォトダイオード（Ａｖａｌａｎｃｈｅ  ＰｈｏｔｏＤｉｏｄｅ：ＡＰＤ）又は光電子増倍管（ＰｈｏｔｏＭｕｌｔｉｐｌｉｅｒ  Ｔｕｂｅ：ＰＭＴ）により構成されている。
【００３５】
（ＯＣＴ光学系）
ＯＣＴ光学系１４０は、合焦レンズ１４１と、光スキャナ１４２と、コリメートレンズ１４３と、干渉光学系１５０とを含む。干渉光学系１５０は、ＯＣＴ光源１５１と、ファイバーカプラ１５２、１５３と、プリズム１５４と、検出器１５５とを含む。
【００３６】
合焦レンズ１４１は、図示しない移動機構（後述の移動機構１４１Ｄ）によりＯＣＴ光学系１４０の光軸（光路）に沿って移動可能である。それにより、ＳＬＯ光学系１３０とは独立にＯＣＴ光学系１４０の焦点位置を変更することが可能になる。従って、例えば対物レンズ系１１０の移動によりＳＬＯ光学系１３０及びＯＣＴ光学系１４０の合焦状態が調整された後、合焦レンズ１４１の移動によりＯＣＴ光学系１４０の合焦状態の微調整を行うことができる。
【００３７】
光スキャナ１４２は、ＯＣＴ光源１５１からの光に基づく測定光で被検眼Ｅの眼底Ｅｆを走査するために用いられる。光スキャナ１４２は、Ｘ方向に光を偏向させる光スキャナ１４２Ｘと、Ｙ方向に光を偏向させる光スキャナ１４２Ｙとを含む。光スキャナ１４２Ｘは、その傾きが変更可能なミラーであり、制御部２００により反射面の傾きが制御される。光スキャナ１４２は、例えば、眼底面内の水平方向の走査に用いられる。光スキャナ１４２Ｘの被検眼Ｅの側には、光スキャナ１４２Ｙが配置されている。光スキャナ１４２Ｙは、その傾きが変更可能なミラーであり、制御部２００により反射面の傾きが制御される。光スキャナ１４２Ｙは、例えば、水平方向に直交する眼底面内の垂直方向の走査に用いられる。光スキャナ１４２Ｘ及び光スキャナ１４２Ｙのいずれか一方は、低速なガルバノミラーなどの低速スキャナであり、他方は、高速なガルバノミラーなどの高速スキャナであってよい。光スキャナ１４２Ｘ、１４２Ｙの中間位置は、被検眼Ｅの瞳と光学的に共役な位置（瞳共役位置）Ｑ又はその近傍に配置されている。光スキャナ１４２ＹのＯＣＴ光源１５１の側には、コリメートレンズ１４３が配置されている。
【００３８】
干渉光学系１５０には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号である。なお、干渉光学系１５０は、スウェプトソースタイプのＯＣＴ装置ではなく、従来のスペクトラルドメインタイプのＯＣＴ装置と同様の構成を有していてもよい。
【００３９】
ＯＣＴ光源１５１は、ＯＣＴ光（出射光）の波長を掃引（走査）可能な波長掃引型（波長走査型）光源である。波長掃引型光源には、例えば、共振器を含み、中心波長が１０５０ｎｍの光を発するレーザー光源が用いられる。ＯＣＴ光源１５１は、人眼では視認できない近赤外の波長帯において、出力波長を時間的に変化させる。
【００４０】
ＯＣＴ光源１５１から出力された光Ｌ０は、光ファイバｆ１によりファイバーカプラ１５２に導かれて測定光ＬＳと参照光ＬＲとに分割される。
【００４１】
参照光ＬＲは、光ファイバｆ２によりファイバ出射端ｃ１に導かれて、ファイバ出射端ｃ１からコリメートレンズ１５６に照射される。ファイバ出射端ｃ１から出射された参照光ＬＲは、コリメートレンズ１５６により平行光束とされる。平行光束とされた参照光ＬＲは、プリズム１５４に導かれる。プリズム１５４は、コリメートレンズ１５６により平行光束とされた参照光ＬＲの進行方向を逆方向に折り返す。プリズム１５４に入射する参照光ＬＲの光路と、プリズム１５４から出射する参照光ＬＲの光路とは平行である。プリズム１５４は、図示しない移動機構（後述の移動機構１５４Ｄ）により参照光ＬＲの入射光路及び出射光路に沿う方向に移動可能である。この場合、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、参照光ＬＲの光路の長さが変更される。
【００４２】
プリズム１５４を経由した参照光ＬＲは、コリメートレンズ１５７によって平行光束から集束光束に変換されてファイバ入射端ｃ２に入射し、光ファイバｆ３によりファイバーカプラ１５３に導かれる。なお、コリメートレンズ１５６，１５７とプリズム１５４との間に、光路長補正部材や分散補償部材が配置されていてもよい。光路長補正部材は、参照光ＬＲの光路長（光学距離）と測定光ＬＳの光路長とを合わせるための遅延手段として作用する。分散補償部材は、参照光ＬＲと測定光ＬＳとの間の分散特性を合わせるための分散補償手段として作用する。
【００４３】
一方、ファイバーカプラ１５２により生成された測定光ＬＳは、光ファイバｆ４によりファイバ端ｃ３に導かれる。ファイバ端ｃ３に導かれた測定光ＬＳは、コリメートレンズ１４３に照射される。ファイバ端ｃ３から照射された測定光ＬＳは、コリメートレンズ１４３により平行光束とされる。平行光束にされた測定光ＬＳは、光スキャナ１４２及び合焦レンズ１４１を経由してダイクロイックミラーＤＭ２に到達する。測定光ＬＳは、ダイクロイックミラーＤＭ２により反射され、対物レンズ系１１０により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバーカプラ１５２に導かれ、光ファイバｆ５を経由してファイバーカプラ１５３に到達する。
【００４４】
ファイバーカプラ１５３は、光ファイバｆ５を介して入射された測定光ＬＳと、光ファイバｆ３を介して入射された参照光ＬＲとを合成して（干渉させて）干渉光を生成する。ファイバーカプラ１５３は、所定の分岐比（例えば１：１）で、測定光ＬＳと参照光ＬＲとの干渉光を分岐することにより、一対の干渉光ＬＣを生成する。ファイバーカプラ１５３から出射した一対の干渉光ＬＣは、検出器１５５に導かれる。
【００４５】
検出器１５５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１５５は、その検出結果（検出信号）を図示しないＤＡＱ（Ｄａｔａ  Ａｃｑｕｉｓｉｔｉｏｎ  Ｓｙｓｔｅｍ）に送る。ＤＡＱには、ＯＣＴ光源１５１からクロックが供給される。このクロックは、ＯＣＴ光源１５１において、波長掃引型光源により所定の波長範囲内で掃引（走査）される各波長の出力タイミングに同期して生成される。ＤＡＱは、このクロックに基づき、検出器１５５の検出結果をサンプリングし、後述の画像形成部等に送る。画像形成部は、例えば一連の波長走査毎に（Ａライン毎に）、検出器１５５により得られた検出結果に基づくスペクトル分布にフーリエ変換等を施すことにより、各Ａラインにおける反射強度プロファイルを形成する。更に、画像形成部は、各Ａラインの反射強度プロファイルを画像化することにより画像データを形成する。
【００４６】
［処理系］
図４に、実施形態に係る眼科撮影装置の処理系の構成例を示す。図４において、図１及び図３と同様の部分には同一符号を付し、適宜説明を省略する。
【００４７】
（制御部）
実施形態に係る眼科撮影装置の処理系は、制御部２００を中心に構成される。制御部２００は、眼科撮影装置の各部の制御を行う。制御部２００は、主制御部２０１と、記憶部２０２とを含む。主制御部２０１の機能は、例えばマイクロプロセッサにより実現される。記憶部２０２には、眼科撮影装置を制御するためのコンピュータプログラムがあらかじめ格納される。このコンピュータプログラムには、各種の光源制御用プログラム、光スキャナ制御用プログラム、各種の検出器制御用プログラム、画像形成用プログラム、データ処理用プログラム及びユーザインターフェイス用プログラムなどが含まれる。このようなコンピュータプログラムに従って主制御部２０１が動作することにより、制御部２００は制御処理を実行する。
【００４８】
対物レンズ系１１０に対する制御として、対物レンズ系１１０を光軸Ｏに沿って移動させる移動機構１１０Ｄに対する制御などがある。例えば、移動機構１１０Ｄには、移動機構１１０Ｄを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１１０Ｄに対する制御を行う。
【００４９】
ＳＬＯ光学系１３０に対する制御として、ＳＬＯ光源１３１の制御、光スキャナ１３６の制御、検出器１３５の制御などがある。ＳＬＯ光源１３１の制御には、光源の点灯、消灯、光量調整、絞り調整などがある。光スキャナ１３６の制御には、光スキャナ１３６Ｘによる走査位置や走査範囲の制御、光スキャナ１３６Ｙによる走査位置や走査範囲の制御などがある。検出器１３５の制御には、検出素子の露光調整やゲイン調整や検出レート調整などがある。
【００５０】
ＯＣＴ光学系１４０に対する制御として、ＯＣＴ光源１５１の制御、光スキャナ１４２の制御、移動機構１４１Ｄや移動機構１５４Ｄの制御、検出器１５５の制御などがある。ＯＣＴ光源１５１の制御には、光源の点灯、消灯、光量調整、絞り調整などがある。光スキャナ１４２の制御には、光スキャナ１４２Ｘによる走査位置や走査範囲の制御、光スキャナ１４２Ｙによる走査位置や走査範囲の制御などがある。移動機構１４１Ｄは、ＯＣＴ光学系１４０の光路に沿って合焦レンズ１４１を移動する。例えば、移動機構１４１Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１４１Ｄに対する制御を行う。移動機構１５４Ｄは、プリズム１５４を参照光ＬＲの入射光路及び出射光路に沿う方向に移動する。例えば、移動機構１５４Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１５４Ｄに対する制御を行う。検出器１５５の制御には、検出素子の露光調整やゲイン調整や検出レート調整などがある。
【００５１】
前眼部撮影系１２０に対する制御として、前眼部照明光源１２１の制御、前眼部撮影カメラ１２３の制御などがある。前眼部照明光源１２１の制御には、光源の点灯、消灯、光量調整、絞り調整などがある。前眼部撮影カメラ１２３の制御には、撮像素子の露光調整やゲイン調整や撮影レート調整などがある。
【００５２】
光学系１００に対する制御として、光学系１００（ダイクロイックミラーＤＭ１Ａ、ＤＭ１Ｂ、前眼部撮影系１２０を含む）をＸ方向、Ｙ方向及びＺ方向に移動する移動機構１００Ｄの制御などがある。例えば、移動機構１００Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１００Ｄに対する制御を行う。
【００５３】
主制御部２０１は、アライメント制御部２０１Ａと、トラッキング制御部２０１Ｂと、表示制御部２０１Ｃとを含む。
【００５４】
アライメント制御部２０１Ａは、被検眼Ｅに対して光学系１００の位置合わせを行うためのアライメントの実行を制御する。アライメント制御部２０１Ａは、前眼部撮影系１２０により得られた被検眼Ｅの前眼部画像に基づいて移動機構１００Ｄ、１１０Ｄを制御する。アライメント制御部２０１Ａは、例えば、前眼部撮影系１２０により得られた被検眼Ｅの前眼部画像中の特徴部位を特定し、特定された特徴部位の位置と所定の目標位置とのずれ量がキャンセルされるように光学系１００等の移動量を求める。アライメント制御部２０１Ａは、求められた移動量に基づいて移動機構１００Ｄを制御することにより被検眼Ｅに対して光学系１００の位置合わせを行う（ＸＹ方向）。目標位置は、あらかじめ決められた位置であってもよいし、ＵＩ部２３０を用いて指定された前眼部画像中の位置であってもよい。
【００５５】
アライメント制御部２０１Ａは、例えば、前眼部撮影系１２０により得られた被検眼Ｅの前眼部画像の合焦状態（ぼけ具合）を特定し、特定された合焦状態が所望の合焦状態となるように対物レンズ系１１０のＺ方向の移動量を求めることが可能である。アライメント制御部２０１Ａは、求められた移動量に基づいて移動機構１００Ｄ、１１０Ｄを制御することにより、被検眼Ｅに対する光学系１００及び対物レンズ系１１０の位置合わせを行う（Ｚ方向）。なお、２以上のカメラを用いて互いに異なる方向から前眼部を撮影し、視差が設けられた２以上の画像から３次元的に合焦状態を特定し、特定された合焦状態が所望の合焦状態となるように対物レンズ系１１０のＺ方向の移動量を求めてもよい。
【００５６】
アライメント制御部２０１Ａは、ＳＬＯ光学系１３０により得られたＳＬＯ画像に基づいて移動機構１１０Ｄを制御することにより被検眼Ｅに対する対物レンズ系１１０の位置合わせ（Ｚ方向）を行ってもよい。この場合、アライメント制御部２０１Ａは、取得されたＳＬＯ画像の合焦状態（ぼけ具合）を特定し、特定された合焦状態が所望の合焦状態となるように対物レンズ系１１０のＺ方向の移動量を求める。アライメント制御部２０１Ａは、求められた移動量に基づいて移動機構１１０Ｄを制御する。
【００５７】
トラッキング制御部２０１Ｂは、ＳＬＯ光学系１３０により得られた被検眼ＥのＳＬＯ画像に対するトラッキングを制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＳＬＯ画像に対するトラッキングを制御する。
【００５８】
また、トラッキング制御部２０１Ｂは、ＯＣＴ光学系１４０により得られた被検眼ＥのＯＣＴ画像に対するトラッキングをＳＬＯ画像に基づいて制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＯＣＴ画像に対するトラッキングを制御する。トラッキング制御部２０１Ｂは、データ処理部２２０に設けられていてもよい。
【００５９】
表示制御部２０１Ｃは、各種情報を後述のＵＩ部２３０に表示させる。ＵＩ部２３０に表示される情報には、制御部２００により生成された情報、画像形成部２１０により形成された画像、データ処理部２２０によるデータ処理後の情報などがある。
【００６０】
表示制御部２０１Ｃは、後述の画像合成部２２０Ｃにより広角画像と狭角画像とを合成することにより得られた合成画像をＵＩ部２３０に表示させる。広角画像は、上記のように、広角撮影モードにて取得された画像（ＳＬＯ画像、ＯＣＴ画像）である。狭角画像は、上記のように、高倍率撮影モードにて取得された画像（ＳＬＯ画像、ＯＣＴ画像）である。
【００６１】
表示制御部２０１Ｃは、静止画像としての合成画像をＵＩ部２３０に表示させたり、動画像としての合成画像をＵＩ部２３０に繰り返し表示させたりすることが可能である。動画像としての合成画像には、合成画像中の狭角画像だけが更新されるものや、合成画像中の広角画像だけが更新されるものなどがある。例えば、ＳＬＯ光学系１３０又はＯＣＴ光学系１４０を用いて広角画像が取得された後に狭角画像が繰り返し取得された場合、合成画像中の狭角画像が新たに取得された狭角画像に更新される。或いは、ＳＬＯ光学系１３０又はＯＣＴ光学系１４０を用いて狭角画像が取得された後に広角画像が繰り返し取得された場合、合成画像中の広角画像が新たに取得された広角画像に更新される。
【００６２】
（画像形成部）
画像形成部２１０は、ＳＬＯ画像形成部２１０Ａと、ＯＣＴ画像形成部２１０Ｂとを含む。ＳＬＯ画像形成部２１０Ａは、検出器１３５から入力される検出信号と、制御部２００から入力される画素位置信号とに基づいて、ＳＬＯ画像の画像データを形成する。ＯＣＴ画像形成部２１０Ｂは、検出器１５５から入力される検出信号と、制御部２００から入力される画素位置信号とに基づいて、ＯＣＴ画像（眼底Ｅｆの断層像）の画像データを形成する。また、画像形成部２１０は、前眼部撮影カメラ１２３の撮像素子による被検眼Ｅの前眼部からの反射光の検出結果に基づいて前眼部画像を形成する。画像形成部２１０により形成された各種の画像（画像データ）は、例えば記憶部２０２に保存される。
【００６３】
（データ処理部）
データ処理部２２０は、各種のデータ処理を実行する。データ処理の例として、画像形成部２１０又は他の装置により形成された画像データに対する処理がある。この処理の例として、各種の画像処理や、画像に対する解析処理や、画像データに基づく画像評価などの診断支援処理がある。
【００６４】
データ処理部２２０は、位置合わせ部２２０Ａと、スケール調整部２２０Ｂと、画像合成部２２０Ｃとを含む。
【００６５】
位置合わせ部２２０Ａは、広角撮影モードで取得された被検眼Ｅの広角画像と、高倍率撮影モードで取得され広角画像の中心部を含む被検眼Ｅの狭角画像との位置合わせを行う。広角画像の中心部は、光軸Ｏ上の位置を含む部分である。広角画像は、広角撮影モードにおいてＳＬＯ画像形成部２１０Ａにより形成された広角（第１範囲）のＳＬＯ画像又はＯＣＴ画像形成部２１０Ｂにより形成された広角のＯＣＴ画像である。狭角画像は、高倍率撮影モードにおいてＳＬＯ画像形成部２１０Ａにより形成された狭角（第２範囲）のＳＬＯ画像又はＯＣＴ画像形成部２１０Ｂにより形成された狭角のＯＣＴ画像である。
【００６６】
位置合わせ部２２０Ａは、例えば、狭角画像の中央部を含む中央領域に対応する広角画像の対応領域を特定する。位置合わせ部２２０Ａは、広角画像及び狭角画像のそれぞれの画角と広角画像の中心部を含む中心領域の位置とに基づいて当該対応領域を特定することが可能である。位置合わせ部２２０Ａは、広角画像中の対応領域と、狭角画像との位置合わせを行う。また、位置合わせ部２２０Ａは、広角画像と狭角画像とに共通して描出された眼底Ｅｆの特徴部分（乳頭等の特徴部位、血管など）を特定し、特定された特徴部分を指標として広角画像と狭角画像との位置合わせを行うことも可能である。
【００６７】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる処理を行う。
【００６８】
画像合成部２２０Ｃは、スケール調整部２２０Ｂによりスケール調整が行われた広角画像と狭角画像とを合成することにより中心部のゴーストが除去された合成画像を形成する。画像合成部２２０Ｃは、光学系１００の光軸Ｏ上の位置を含む広角画像の中心領域（中心部を含む領域、部分領域）を当該中心領域に対応する狭角画像の少なくとも一部の領域で置換することにより合成画像を形成することが可能である。例えば、画像合成部２２０Ｃは、上記のように特定された広角画像中の対応領域を切り取り、当該対応領域に狭角画像の少なくとも一部の領域を配置することにより合成画像を形成する。すなわち、広角画像の中心部を含む領域が、当該領域に対応する狭角画像の少なくとも一部の領域で置換される。狭角画像の中心部にはゴーストがほとんど描出されないか、広角画像の中心部よりはゴーストの影響を受けないため、中心部のゴーストが抑制された広角画像の取得が可能になる。また、広角画像の中心部の解像度が向上する。
【００６９】
また、画像合成部２２０Ｃは、光学系１００の光軸Ｏ上の位置を含む広角画像の中心領域に当該中心領域に対応する狭角画像の少なくとも一部の領域を重畳することにより合成画像を形成することが可能である。例えば、画像合成部２２０Ｃは、上記のように特定された広角画像中の対応領域に狭角画像の少なくとも一部の領域を重畳することにより合成画像を形成する。すなわち、広角画像の中心部を含む領域に、当該領域に対応する狭角画像の少なくとも一部の領域が重畳される。この場合も、中心部のゴーストが抑制された広角画像の取得が可能になる。また、広角画像の中心部の解像度が向上する。
【００７０】
以上のように、画像合成部２２０Ｃは、広角のＳＬＯ画像の中心部が狭角のＳＬＯ画像に置換された合成画像、広角のＳＬＯ画像の中心部に狭角のＳＬＯ画像が重畳された合成画像、広角のＯＣＴ画像の中心部が狭角のＯＣＴ画像に置換された合成画像、又は広角のＯＣＴ画像の中心部に狭角のＯＣＴ画像が重畳された合成画像を形成する。また、画像合成部２２０Ｃは、広角のＳＬＯ画像の中心部が狭角のＯＣＴ画像に置換された合成画像、広角のＳＬＯ画像の中心部に狭角のＯＣＴ画像が重畳された合成画像、広角のＯＣＴ画像の中心部が狭角のＳＬＯ画像に置換された合成画像、又は広角のＯＣＴ画像の中心部に狭角のＳＬＯ画像が重畳された合成画像を形成してもよい。
【００７１】
なお、位置合わせ部２２０Ａが、スケールが一致するように調整された広角画像と狭角画像との位置合わせを行い、画像合成部２２０Ｃが、位置合わせが行われた広角画像と狭角画像とを合成することにより中心部のゴーストが除去された合成画像を形成してもよい。
【００７２】
（ＵＩ部）
ＵＩ（Ｕｓｅｒ  Ｉｎｔｅｒｆａｃｅ）部２３０は、ユーザと眼科撮影装置との間で情報のやりとりを行うための機能を備える。ＵＩ部２３０は、表示デバイスと操作デバイス（入力デバイス）とを含む。表示デバイスは、表示部を含んでよく、それ以外の表示デバイスを含んでもよい。操作デバイスは、各種のハードウェアキー及び／又はソフトウェアキーを含む。制御部２００は、操作デバイスに対する操作内容を受け、操作内容に対応した制御信号を各部に出力することが可能である。操作デバイスの少なくとも一部と表示デバイスの少なくとも一部とを一体的に構成することが可能である。タッチパネルディスプレイはその一例である。
【００７３】
光学系１００、制御部２００及び画像形成部２１０は、実施形態に係る「撮影部」の一例である。画角変更機構１１５は、実施形態に係る「画角変更部」の一例である。広角撮影モードに設定されたときの画角（例えば１０５度）は、実施形態に係る「第１画角」の一例である。広角撮影モードに設定されたときの被検眼Ｅの撮影範囲は、実施形態に係る「第１範囲」の一例である。広角撮影モードに設定されたときに被検眼Ｅを撮影することにより得られた広角画像は、実施形態に係る「第１画像」の一例である。高倍率撮影モードに設定されたときの画角（例えば５０度）は、実施形態に係る「第２画角」の一例である。高倍率撮影モードに設定されたときの被検眼Ｅの撮影範囲は、実施形態に係る「第２範囲」の一例である。高倍率撮影モードに設定されたときに被検眼Ｅを撮影することにより得られた狭角画像は、実施形態に係る「第２画像」の一例である。ＵＩ部２３０に含まれる表示デバイスは、実施形態に係る「表示手段」の一例である。
【００７４】
また、ＳＬＯ光学系１３０、制御部２００及びＳＬＯ画像形成部２１０Ａ、並びに、ＯＣＴ光学系１４０、制御部２００及びＯＣＴ画像形成部２１０Ｂの一方は、実施形態に係る「第１撮影部」の一例である。同様に、ＳＬＯ光学系１３０、制御部２００及びＳＬＯ画像形成部２１０Ａ、並びに、ＯＣＴ光学系１４０、制御部２００及びＯＣＴ画像形成部２１０Ｂの一方は、実施形態に係る「第２撮影部」の一例である。光学系１００は、実施形態に係る「被検眼を光でスキャンしてデータを収集するデータ収集部」の一例である。この場合、ＳＬＯ光学系１３０又はＯＣＴ光学系１４０は、広角撮影モードに対応した範囲に対する第１スキャンと、高倍率撮影モードに対応した範囲に対する第２スキャンとを実行する。ＳＬＯ画像形成部２１０Ａ又はＯＣＴ画像形成部２１０Ｂは、第１スキャンにより収集された第１データに基づき広角画像を形成し、第２スキャンにより収集された第２データに基づき狭角画像を形成する。
【００７５】
［動作］
実施形態に係る眼科撮影装置の動作について説明する。
【００７６】
「第１動作例］
図５、図６Ａ〜図６Ｅに、実施形態に係る眼科撮影装置の第１動作例を示す。図５は、ＳＬＯ画像を取得するときの眼科撮影装置の動作例のフロー図を表す。図６Ａ〜図６Ｅは、図５の実施形態に係る眼科撮影装置の動作説明図を示す。
【００７７】
（Ｓ１）
まず、画角変更機構１１５により光軸Ｏに広角撮影モード用の対物レンズユニット１１０Ａがセットされる。例えば、検者、被検者、医師、患者等のユーザが手動で光軸Ｏに対物レンズユニット１１０Ａをセットする。眼科撮影装置は、ＵＩ部２３０に対してユーザにより行われた操作に基づき次の動作に移行することが可能である。また、眼科撮影装置は、光軸Ｏに配置された対物レンズユニットの種別を検出し、検出された種別があらかじめ登録された当該撮影モードに対応する種別であると判定されたとき、次の動作に移行するようにしてもよい。
【００７８】
光軸Ｏに広角撮影モード用の対物レンズユニット１１０Ａがセットされると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。制御部２００は、光スキャナ１３６をあらかじめ決められた初期位置に移動させる。Ｓ１において、トラッキング制御部２０１Ｂは、ＳＬＯ画像に対するトラッキング制御を開始してもよい。
【００７９】
（Ｓ２）
制御部２００は、ＳＬＯ光源１３１をオンにして、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。Ｓ２において得られたＳＬＯ画像は、図６Ａに示すような広角画像である。この広角画像の中心部には、ゴーストＧが描出される。
【００８０】
（Ｓ３）
次に、画角変更機構１１５により光軸Ｏに高倍率撮影モード用の対物レンズユニット１１０Ｂがセットされる。例えば、検者、被検者、医師、患者等のユーザが手動で光軸Ｏに対物レンズユニット１１０Ｂをセットする。光軸Ｏに高倍率撮影モード用の対物レンズユニット１１０Ｂがセットされると、Ｓ１と同様に、制御部２００は、アライメントを行い、光スキャナ１３６をあらかじめ決められた初期位置に移動させる。
【００８１】
（Ｓ４）
光軸Ｏに高倍率撮影モード用の対物レンズユニット１１０Ｂがセットされると、再び、制御部２００は、アライメントを行い、Ｓ２と同様に、光スキャナ１３６を制御することによりＳＬＯ光源１３１からの光で被検眼Ｅの眼底Ｅｆのスキャンを開始させる。このとき、Ｓ２において取得されたＳＬＯ画像の中心部を含む領域がスキャンするように設定される。ＳＬＯ画像形成部２１０Ａは、検出器１３５による眼底反射光の検出結果に基づいて眼底ＥｆのＳＬＯ画像を形成する。Ｓ４において得られたＳＬＯ画像は、図６Ｂに示すように狭角画像である。この狭角画像の中心部には、ゴーストが描出されないか、広角画像に比べてゴーストが目立たない画像である。
【００８２】
（Ｓ５）
続いて、位置合わせ部２２０Ａは、図６Ｃに示すように、Ｓ２において取得された被検眼ＥのＳＬＯ画像（広角画像）において、Ｓ４において取得された被検眼ＥのＳＬＯ画像（狭角画像）に対応する領域（対応領域）Ｃ１を特定する。位置合わせ部２２０Ａは、上記のように、Ｓ２において取得された被検眼ＥのＳＬＯ画像（広角画像）と、Ｓ４において取得された被検眼ＥのＳＬＯ画像（狭角画像）との位置合わせを行う。
【００８３】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。図６Ｄでは、Ｓ２において取得された広角画像のスケールと一致するように、Ｓ４において取得された狭角画像のスケールが調整されている。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、図６Ｅに示すように、スケール調整部２２０Ｂによりスケール調整が行われた広角画像と狭角画像とを合成することにより中心部のゴーストが除去（又は抑制）された合成画像を形成する。例えば、画像合成部２２０Ｃは、広角画像の中心領域を当該中心領域に対応する狭角画像の少なくとも一部の領域で置換することにより合成画像を形成する。
【００８４】
（Ｓ６）
表示制御部２０１Ｃは、Ｓ５において形成された合成画像をＵＩ部２３０に表示させる。
【００８５】
（Ｓ７）
制御部２００は、Ｓ６において表示された合成画像に基づいてユーザが被検眼Ｅの診断が可能か否かを判定する。ユーザはＵＩ部２３０に表示された合成画像を確認し、ＵＩ部２３０に対して診断が可能か否かを指示する。制御部２００は、ＵＩ部２３０に対するユーザの操作内容に基づいて、診断が可能か否かを判定することが可能である。診断が可能であると判定されたとき（Ｓ７：Ｙ）、眼科撮影装置の動作は終了する（エンド）。診断が可能ではないと判定されたとき（Ｓ７：Ｎ）、眼科撮影装置の動作はＳ８に移行する。
【００８６】
（Ｓ８）
診断が可能ではないと判定されたとき（Ｓ７：Ｎ）、ＵＩ部２３０に対するユーザの所定の操作を受け、表示制御部２０１Ｃは、Ｓ４において取得された被検眼ＥのＳＬＯ画像（狭角画像）を拡大してＵＩ部２３０に表示させる。その後、眼科撮影装置の動作は終了する（エンド）。
【００８７】
「第２動作例］
図５、図６Ａ〜図６Ｅは、広角のＳＬＯ画像と狭角のＳＬＯ画像とを合成する場合について説明したが、広角のＯＣＴ画像と狭角のＯＣＴ画像とを合成する場合も同様である。
【００８８】
図７に、実施形態に係る眼科撮影装置の第２動作例を示す。図７は、ＯＣＴ画像を取得するときの眼科撮影装置の動作例のフロー図を表す。
【００８９】
（Ｓ１１）
まず、Ｓ１と同様に、画角変更機構１１５により光軸Ｏに広角撮影モード用の対物レンズユニット１１０Ａがセットされる。例えば、検者、被検者、医師、患者等のユーザが手動で光軸Ｏに対物レンズユニット１１０Ａをセットする。
【００９０】
光軸Ｏに広角撮影モード用の対物レンズユニット１１０Ａがセットされると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。制御部２００は、光スキャナ１４２をあらかじめ決められた初期位置に移動させる。
【００９１】
次に、アライメント制御部２０１Ａは、前眼部撮影系１２０により得られた前眼部画像又は別途に得られたＳＬＯ画像から網膜のフォーカス方向のアライメントを行う。それにより、対物レンズ系１１０の光軸Ｏの方向の位置の微調整が可能になる。
【００９２】
続いて、主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【００９３】
Ｓ１１において、トラッキング制御部２０１Ｂは、ＯＣＴ画像に対するトラッキング制御を開始してもよい。
【００９４】
（Ｓ１２）
制御部２００は、ＯＣＴ光源１５１をオンにして、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ１２において得られたＯＣＴ画像は、広角画像である。この広角画像の中心部には、ゴーストが描出される。
【００９５】
（Ｓ１３）
次に、画角変更機構１１５により光軸Ｏに高倍率撮影モード用の対物レンズユニット１１０Ｂがセットされる。例えば、検者、被検者、医師、患者等のユーザが手動で光軸Ｏに対物レンズユニット１１０Ｂをセットする。光軸Ｏに高倍率撮影モード用の対物レンズユニット１１０Ｂがセットされると、Ｓ１１と同様に、制御部２００は、アライメントを行い、光スキャナ１４２をあらかじめ決められた初期位置に移動させる。
【００９６】
（Ｓ１４）
光軸Ｏに高倍率撮影モード用の対物レンズユニット１１０Ｂがセットされると、再び、制御部２００は、アライメントを行い、Ｓ１２と同様に、光スキャナ１４２を制御することにより測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。このＯＣＴ画像は狭角画像である。この狭角画像の中心部には、ゴーストが描出されないか、広角画像に比べてゴーストが目立たない画像である。
【００９７】
（Ｓ１５）
続いて、位置合わせ部２２０Ａは、Ｓ１２において取得された被検眼ＥのＯＣＴ画像（広角画像）において、Ｓ１４において取得された被検眼ＥのＯＣＴ画像（狭角画像）に対応する領域（対応領域）を特定する。位置合わせ部２２０Ａは、上記のように、Ｓ１２において取得された被検眼ＥのＯＣＴ画像（広角画像）と、Ｓ１４において取得された被検眼ＥのＯＣＴ画像（狭角画像）との位置合わせを行う。
【００９８】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、スケール調整部２２０Ｂによりスケール調整が行われた広角画像と狭角画像とを合成することにより中心部のゴーストが除去（又は抑制）された合成画像を形成する。例えば、画像合成部２２０Ｃは、広角画像の中心領域を当該中心領域に対応する狭角画像の少なくとも一部の領域で置換することにより合成画像を形成する。
【００９９】
（Ｓ１６）
表示制御部２０１Ｃは、Ｓ１５において形成された合成画像をＵＩ部２３０に表示させる。
【０１００】
（Ｓ１７）
制御部２００は、Ｓ７と同様に、Ｓ１６において表示された合成画像に基づいてユーザが被検眼Ｅの診断が可能か否かを判定する。診断が可能であると判定されたとき（Ｓ１７：Ｙ）、眼科撮影装置の動作は終了する（エンド）。診断が可能ではないと判定されたとき（Ｓ１７：Ｎ）、眼科撮影装置の動作はＳ１８に移行する。
【０１０１】
（Ｓ１８）
診断が可能ではないと判定されたとき（Ｓ１７：Ｎ）、ＵＩ部２３０に対するユーザの所定の操作を受け、表示制御部２０１Ｃは、Ｓ１４において取得された被検眼ＥのＯＣＴ画像（狭角画像）を拡大してＵＩ部２３０に表示させる。その後、眼科撮影装置の動作は終了する（エンド）。
【０１０２】
「第３動作例］
図５は広角のＳＬＯ画像と狭角のＳＬＯ画像とを合成する場合について説明し、図７は広角のＯＣＴ画像と狭角のＯＣＴ画像とを合成する場合について説明したが、一方がＳＬＯ画像で他方がＯＣＴ画像である場合にこれらを合成するようにしてもよい。
【０１０３】
図８に、実施形態に係る眼科撮影装置の第３動作例を示す。図８は、広角のＳＬＯ画像と狭角のＳＬＯ画像とを合成し、狭角のＳＬＯ画像だけを更新するときの眼科撮影装置の動作例のフロー図を表す。
【０１０４】
（Ｓ２１）
まず、Ｓ１と同様に、画角変更機構１１５により光軸Ｏに広角撮影モード用の対物レンズユニット１１０Ａがセットされる。例えば、検者、被検者、医師、患者等のユーザが手動で光軸Ｏに対物レンズユニット１１０Ａをセットする。
【０１０５】
光軸Ｏに広角撮影モード用の対物レンズユニット１１０Ａがセットされると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。制御部２００は、光スキャナ１３６をあらかじめ決められた初期位置に移動させる。Ｓ２１において、トラッキング制御部２０１Ｂは、ＳＬＯ画像に対するトラッキング制御を開始してもよい。
【０１０６】
（Ｓ２２）
制御部２００は、ＳＬＯ光源１３１をオンにして、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。Ｓ２２において得られたＳＬＯ画像は、広角画像である。
【０１０７】
（Ｓ２３）
次に、画角変更機構１１５により光軸Ｏに高倍率撮影モード用の対物レンズユニット１１０Ｂがセットされる。例えば、検者、被検者、医師、患者等のユーザが手動で光軸Ｏに対物レンズユニット１１０Ｂをセットする。光軸Ｏに高倍率撮影モード用の対物レンズユニット１１０Ｂがセットされると、Ｓ１と同様に、制御部２００は、アライメントを行い、光スキャナ１３６をあらかじめ決められた初期位置に移動させる。
【０１０８】
（Ｓ２４）
制御部２００は、Ｓ２２と同様に、光スキャナ１４２を制御することによりＯＣＴ光源１５１からの光に基づく測定光ＬＳで被検眼Ｅの眼底Ｅｆのスキャンを開始させる。このとき、Ｓ２２において取得されたＳＬＯ画像の中心部を含む領域がスキャンするように設定される。ＳＬＯ画像形成部２１０Ａは、検出器１３５による眼底反射光の検出結果に基づいて眼底ＥｆのＳＬＯ画像を形成する。Ｓ２４において得られたＳＬＯ画像は、狭角画像である。
【０１０９】
（Ｓ２５）
続いて、位置合わせ部２２０Ａは、Ｓ２２において取得された被検眼ＥのＳＬＯ画像（広角画像）において、Ｓ２４において取得された被検眼ＥのＳＬＯ画像（狭角画像）に対応する領域（対応領域）を特定する。位置合わせ部２２０Ａは、上記のように、Ｓ２２において取得された被検眼ＥのＳＬＯ画像（広角画像）と、Ｓ２４において取得された被検眼ＥのＳＬＯ画像（狭角画像）との位置合わせを行う。
【０１１０】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、スケール調整部２２０Ｂによりスケール調整が行われた広角画像と狭角画像とを合成することにより中心部のゴーストが除去（又は抑制）された合成画像を形成する。例えば、画像合成部２２０Ｃは、広角画像の中心領域を当該中心領域に対応する狭角画像の少なくとも一部の領域で置換することにより合成画像を形成する。
【０１１１】
（Ｓ２６）
表示制御部２０１Ｃは、Ｓ２５において形成された合成画像をＵＩ部２３０に表示させる。
【０１１２】
（Ｓ２７）
制御部２００は、Ｓ７と同様に、Ｓ２６において表示された合成画像に基づいてユーザが被検眼Ｅの診断が可能か否かを判定する。診断が可能であると判定されたとき（Ｓ２７：Ｙ）、眼科撮影装置の動作はＳ２４に移行する。それにより、Ｓ２４では新たに狭角のＳＬＯ画像が取得され、Ｓ２５では、合成画像中の狭角のＳＬＯ画像がＳ２４で新たに取得された狭角のＳＬＯ画像に更新される。この場合、狭角のＳＬＯ画像が取得されるごとに、合成画像中の狭角のＳＬＯ画像が新たな狭角のＳＬＯ画像で更新される。
【０１１３】
Ｓ２７において、診断が可能ではないと判定されたとき（Ｓ２７：Ｎ）、眼科撮影装置の動作はＳ２８に移行する。
【０１１４】
（Ｓ２８）
診断が可能ではないと判定されたとき（Ｓ２７：Ｎ）、ＵＩ部２３０に対するユーザの所定の操作を受け、表示制御部２０１Ｃは、Ｓ２４において取得された被検眼ＥのＳＬＯ画像（狭角画像）を拡大してＵＩ部２３０に表示させる。その後、眼科撮影装置の動作は終了する（エンド）。
【０１１５】
なお、図８は、広角のＳＬＯ画像と狭角のＳＬＯ画像とを合成し、狭角のＳＬＯ画像だけを更新する場合について説明したが、広角のＯＣＴ画像と狭角のＯＣＴ画像とを合成し、狭角のＯＣＴ画像だけを更新する場合も同様である。また、広角のＳＬＯ画像と狭角のＯＣＴ画像とを合成し、広角のＳＬＯ画像又は狭角のＯＣＴ画像だけを更新したり、広角のＯＣＴ画像と狭角のＳＬＯ画像とを合成し、広角のＯＣＴ画像又は狭角のＳＬＯ画像だけを更新したりしてもよい。
【０１１６】
＜変形例＞
実施形態では、撮影モードに対応した対物レンズユニットを変更することにより画角を変更する場合について説明したが、実施形態に係る構成はこれに限定されるものではない。例えば、光学系１００は、ズーム光学系を含んでもよい。この場合、ズーム光学系は、少なくとも１つが光学系１００の光軸Ｏに沿って移動可能な２以上のレンズを含む対物レンズ系、又は光軸Ｏに対して挿脱可能な１以上の光学素子（レンズ、プリズム、板ガラス等）を含む。１以上の光学素子は、ダイクロイックミラーＤＭ２と対物レンズユニットとの間に挿入可能である。
【０１１７】
実施形態に係る制御部２００は、広角撮影モードのときの作動距離（ワーキングディスタンス）が高倍率撮影モードのときの作動距離より短くなるように少なくとも対物レンズ系１１０（光学系１００）を移動させてもよい。
【０１１８】
前述の実施形態では、光学系１００の構成が図１及び図３に示す構成である場合について説明したが、実施形態に係る光学系の構成はこれに限定されるものではない。実施形態に係る光学系は、レーザー光を眼底における治療部位に照射するための光学系や、被検眼に固視させた状態で視標を移動させるための光学系などを備えていてもよい。
【０１１９】
前述の実施形態では、対物レンズ系１１０の構成が図１〜図３に示す構成である場合について説明したが、実施形態に係る対物レンズ系の構成はこれに限定されるものではない。
【０１２０】
実施形態に係る前眼部撮影系は、互いに異なる２以上の方向から被検眼Ｅの前眼部を撮影するための２以上のカメラを含んでいてもよい。この場合、実施形態に係るアライメント制御部２０１Ａは、これらのカメラを用いて取得された互いに異なる２以上の方向からの前眼部の撮影画像に基づいて得られる視差からＺ方向のアライメントを実行することが可能である。
【０１２１】
前述の実施形態では、前眼部撮影系１２０を用いて取得された前眼部画像を用いてアライメントを行う場合について説明したが、取得された前眼部画像をＵＩ部２３０に設けられた表示デバイスに表示させてもよい。また、取得された前眼部画像をアライメントに用いなくてもよい。
【０１２２】
［効果］
実施形態に係る眼科撮影装置の効果について説明する。
【０１２３】
実施形態に係る眼科撮影装置は、撮影部（光学系１００、制御部２００及び画像形成部２１０）と、画角変更部（画角変更機構１１５）と、画像合成部（画像合成部２２０Ｃ）とを含む。撮影部は、被検眼（被検眼Ｅ）を撮影するための光路を形成する光学系（光学系１００）を含む。画角変更部は、画角を変更するために用いられる。画像合成部は、画角変更部により第１画角（例えば１０５度）が設定されているときに撮影部により取得された被検眼の第１範囲を表す第１画像（広角画像）と、画角変更部により第１画角より狭い第２画角（例えば５０度）が設定されているときに撮影部により取得され光学系の光軸（光軸Ｏ）上の位置を含み且つ第１範囲より狭い第２範囲を表す第２画像（狭角画像）とを合成して合成画像を形成する。
【０１２４】
このような構成によれば、光学系が備える対物レンズや被検眼の角膜の表面反射に起因したゴーストが描出された第１画像を、光学系の光軸（光軸Ｏ）上の位置を含む第２画像と合成することにより、主として光軸上の位置でのゴーストの描出が抑制された合成画像を形成することが可能になる。それにより、画角が広い画像であってもゴーストの描出を抑制することが可能な眼科撮影装置を提供することができる。
【０１２５】
また、実施形態に係る眼科撮影装置では、光学系は、２以上の対物レンズ（対物レンズユニット１１０Ａ、１１０Ｂ）を含み、画角変更部は、光路に２以上の対物レンズを選択的に配置させてもよい。
【０１２６】
このような構成によれば、簡便に画角を変更しつつ、画角が広い画像であってもゴーストの描出を抑制することが可能な眼科撮影装置を提供することができる。
【０１２７】
また、実施形態に係る眼科撮影装置では、光学系は、ズーム光学系を含み、ズーム光学系は、少なくとも１つが光軸に沿って移動可能な２以上のレンズを含む対物レンズ系、又は光軸に対して挿脱可能な１以上の光学素子を含んでもよい。
【０１２８】
このような構成によれば、簡便に画角を変更しつつ、画角が広い画像であってもゴーストの描出を抑制することが可能な眼科撮影装置を提供することができる。
【０１２９】
また、実施形態に係る眼科撮影装置では、画像合成部は、光軸上の位置を含む第１画像の部分領域（中心領域）を当該部分領域に対応する第２画像の少なくとも一部の領域で置換してもよい。
【０１３０】
このような構成によれば、光軸上の位置を含む第１画像の部分領域を第２画像の対応領域で置換するようにしたので、簡素な画像処理で、画角が広い画像であってもゴーストの描出を抑制することが可能になる。
【０１３１】
また、実施形態に係る眼科撮影装置では、画像合成部は、光軸上の位置を含む第１画像の部分領域（中心領域）に当該部分領域に対応する第２画像の少なくとも一部の領域を重畳してもよい。
【０１３２】
このような構成によれば、光軸上の位置を含む第１画像の部分領域に第２画像の対応領域を重畳するようにしたので、簡素な画像処理で、画角が広い画像であってもゴーストの描出を抑制することが可能になる。
【０１３３】
また、実施形態に係る眼科撮影装置では、画像合成部は、位置合わせ部（位置合わせ部２２０Ａ）と、スケール調整部（２２０Ｂ）とを含んでもよい。位置合わせ部は、第１画像と第２画像との位置合わせを行う。スケール調整部は、第１画角と第２画角とに基づいて第１画像のスケールと第２画像のスケールとを一致させる。
【０１３４】
このような構成によれば、簡素な処理で、違和感の少ない合成画像を取得することが可能になる。
【０１３５】
また、実施形態に係る眼科撮影装置は、合成画像を表示手段（ＵＩ部２３０）に表示させる表示制御部（表示制御部２０１Ｃ）を含んでもよい。
【０１３６】
このような構成によれば、画角が広い画像であってもゴーストの描出を抑制された画像を表示させることができる。
【０１３７】
また、実施形態に係る眼科撮影装置では、撮影部は、第１画像を取得した後に第２画像を繰り返し取得し、表示制御部は、新たな第２画像が取得されたときに合成画像中の第２画像を新たな第２画像に基づき更新してもよい。
【０１３８】
このような構成によれば、静止画像として第１画像中において第２画像だけを動画像として表示させることが可能になる。
【０１３９】
また、実施形態に係る眼科撮影装置では、撮影部は、第１撮影部（ＳＬＯ光学系１３０、制御部２００及びＳＬＯ画像形成部２１０Ａ、並びに、ＯＣＴ光学系１４０、制御部２００及びＯＣＴ画像形成部２１０Ｂの一方）と、第２撮影部（ＳＬＯ光学系１３０、制御部２００及びＳＬＯ画像形成部２１０Ａ、並びに、ＯＣＴ光学系１４０、制御部２００及びＯＣＴ画像形成部２１０Ｂの一方）とを含んでもよい。第１撮影部は、第１画像を取得するために用いられる。第２撮影部は、第２画像を取得するために用いられる。
【０１４０】
このような構成によれば、第１撮影部により得られた画像と第２撮影部により得られた画像とを合成することにより、画角が広い画像であってもゴーストの描出が抑制された画像の取得が可能な眼科撮影装置を提供することができる。
【０１４１】
また、実施形態に係る眼科撮影装置では、撮影部は、データ収集部（光学系１００）と、画像形成部（画像形成部２１０）とを含んでもよい。データ収集部は、被検眼を光でスキャンしてデータを収集する。画像形成部は、データ収集部により収集されたデータに基づいて被検眼の画像を形成する。データ収集部は、第１画角が設定されているときに第１範囲に対する第１スキャンと、第２画角が設定されているときに第２範囲に対する第２スキャンとを実行する。画像形成部は、第１スキャンにより収集された第１データに基づき第１画像を形成し、第２スキャンにより収集された第２データに基づき第２画像を形成する。
【０１４２】
このような構成によれば、被検眼を光でスキャンすることにより得られた第１画像及び第２画像を合成することにより、画角が広い画像であってもゴーストの描出が抑制された画像（スキャン画像）を取得することができる。
【０１４３】
以上に示された実施形態は、この発明を実施するための一例に過ぎない。この発明を実施しようとする者は、この発明の要旨の範囲内において任意の変形、省略、追加等を施すことが可能である。
【符号の説明】
【０１４４】
１００  光学系
１１０  対物レンズ系
１１０Ａ、１１０Ｂ  対物レンズユニット
１１５  画角変更機構
１２０  前眼部撮影系
１３０  ＳＬＯ光学系
１４０  ＯＣＴ光学系
１５０  干渉光学系
２００  制御部
２１０  画像形成部
２１０Ａ  ＳＬＯ画像形成部
２１０Ｂ  ＯＣＴ画像形成部
２２０  データ処理部
２２０Ａ  位置合わせ部
２２０Ｂ  スケール調整部
２２０Ｃ  画像合成部
２３０  ＵＩ部
ＤＭ１Ａ、ＤＭ１Ｂ  ダイクロイックミラー
Ｅ  被検眼
【図１】
0006736304.tif 000002
【図２】
0006736304.tif 000003
【図３】
0006736304.tif 000004
【図４】
0006736304.tif 000005
【図５】
0006736304.tif 000006
【図６Ａ】
0006736304.tif 000007
【図６Ｂ】
0006736304.tif 000008
【図６Ｃ】
0006736304.tif 000009
【図６Ｄ】
0006736304.tif 000010
【図６Ｅ】
0006736304.tif 000011
【図７】
0006736304.tif 000012
【図８】
0006736304.tif 000013